(57)【要約】【課題】種々の遺伝子チップに適用可能であり、加えて、遺伝子チップ全体の温度を高い再現性・均一性で制御することが可能な温度制御手段を具え、さらには、低コスト性をも満足する、核酸プローブ基板を用いた遺伝子の検出、測定に利用される装置、ならびに、該装置を利用して、遺伝子核酸の検出、測定を行う方法を提供する。【解決手段】汎用性を有する形状の、熱伝導性に優れた材質を用いた構成される良熱伝導性材料を、遺伝子チップの基板背面、もしくは、検出用一本鎖核酸断片を固定化した面の対面に、実質的に基板面全体を覆う、あるいは、狭着される形態で配置することで、基板面全体の面内方向の熱拡散を向上させ、加えて、かかる良熱伝導性材料を介して、熱の授受を行う。【選択図】　　図５
2004028694.tif 000002
【特許請求の範囲】
【請求項１】
ハイブリダイゼーション法に基づき、検体中に含有される目的とする遺伝子ＤＮＡを検出するため、該目的遺伝子ＤＮＡの塩基配列に対して、相補的な塩基配列を有する一本鎖核酸断片を含む核酸プローブ複数種を基板表面にアレイ状に固定化した基板に対して、遺伝子検出操作中、該検体及び該基板の温度制御を行う核酸プローブ・アレイ基板の温度制御装置であって、
前記一本鎖核酸断片複数種を基板表面にアレイ状に固定化した基板の背面に対して、基板背面と狭着される良熱伝導性材料と、
前記良熱伝導性材料と接触する加熱手段もしくは冷却手段と、
前記加熱手段もしくは冷却手段と良熱伝導性材料との間を移動する熱量を制御し、良熱伝導性材料の温度を制御する手段とを具え、
前記良熱伝導性材料の温度制御を介して、狭着される前記基板の温度制御を行う機能を有することを特徴とする核酸プローブ・アレイ基板の温度制御装置。
【請求項２】
ハイブリダイゼーション法に基づき、検体中に含有される目的とする遺伝子ＤＮＡを検出するため、該目的遺伝子ＤＮＡの塩基配列に対して、相補的な塩基配列を有する一本鎖核酸断片を含む核酸プローブ複数種を基板表面にアレイ状に固定化した基板に対して、遺伝子検出操作中、該検体及び該基板の温度制御を行う核酸プローブ・アレイ基板の温度制御装置であって、
前記一本鎖核酸断片複数種を基板表面にアレイ状に固定化した基板の表面に対して、前記検体供給用の間隙を空けて、該基板表面と対面させて接触、設置される良熱伝導性材料と、
前記良熱伝導性材料と接触する加熱手段もしくは冷却手段と、
前記加熱手段もしくは冷却手段と良熱伝導性材料との間を移動する熱量を制御し、良熱伝導性材料の温度を制御する手段とを具え、
前記良熱伝導性材料の温度制御を介して、該良熱伝導性材料と接触を有する、前記間隙に供給される検体ならびに前記基板表面の温度制御を行う機能を有することを特徴とする核酸プローブ・アレイ基板の温度制御装置。
【請求項３】
該良熱伝導性材料は、金属、樹脂のいずれか、または、これら二種以上を複合することによって形成されていることを特徴する請求項１又は２に記載の装置。
【請求項４】
ハイブリダイゼーション法に基づき、検体中に含有される目的とする遺伝子ＤＮＡを検出するため、該目的遺伝子ＤＮＡの塩基配列に対して、相補的な塩基配列を有する一本鎖核酸断片を含む核酸プローブ複数種を基板表面にアレイ状に固定化した基板を検出手段として利用して、遺伝子を検出する方法であって、
前記一本鎖核酸断片複数種を基板表面にアレイ状に固定化した基板の背面に対して、基板背面と狭着される良熱伝導性材料を配置し、
前記良熱伝導性材料と接触する加熱手段もしくは冷却手段を配置し、
前記加熱手段もしくは冷却手段と良熱伝導性材料との間を移動する熱量を制御し、良熱伝導性材料の温度を制御する手段を設け、
遺伝子検出操作中、前記手段に基づく良熱伝導性材料の温度制御を介して、狭着される前記基板と、該基板表面と接する検体の温度制御を行いつつ、検出操作を行うことを特徴とする遺伝子検出方法。
【請求項５】
遺伝子検出操作に含まれる、複数の工程において、前記基板と、該基板表面と接する検体の温度制御がなされ、
前記加熱手段を利用する温度制御手段によって、該複数の温度制御を要する工程の温度を順次制御することを特徴する請求項４に記載の方法。
【請求項６】
遺伝子検出操作に含まれる、複数の工程において、前記基板と、該基板表面と接する検体の温度制御がなされ、
前記冷却手段を利用する温度制御手段によって、該複数の温度制御を要する工程の温度を順次制御することを特徴する請求項４に記載の方法。
【請求項７】
基板と、該基板表面と接する検体の温度制御に利用する、前記良熱伝導性材料として、金属、樹脂のいずれか、または、これらの二種以上を複合することによって形成される前記良熱伝導性材料を使用することを特徴とする請求項４に記載の方法。
【請求項８】
ハイブリダイゼーション法に基づき、検体中に含有される目的とする遺伝子ＤＮＡを検出するため、該目的遺伝子ＤＮＡの塩基配列に対して、相補的な塩基配列を有する一本鎖核酸断片を含む核酸プローブ複数種を基板表面にアレイ状に固定化した基板を検出手段として利用して、遺伝子を検出する方法であって、
前記一本鎖核酸断片複数種を基板表面にアレイ状に固定化した基板の表面に対して、前記検体供給用の間隙を空けて、該基板表面と対面させて接触、設置される良熱伝導性材料を配置し、
前記良熱伝導性材料と接触する加熱手段もしくは冷却手段を配置し、
前記加熱手段もしくは冷却手段と良熱伝導性材料との間を移動する熱量を制御し、良熱伝導性材料の温度を制御する手段を設け、
遺伝子検出操作中、前記手段に基づく良熱伝導性材料の温度制御を介して、該良熱伝導性材料と接触を有する、前記間隙に供給される検体ならびに前記基板表面の温度制御を行いつつ、検出操作を行うことを特徴とする遺伝子検出方法。
【請求項９】
遺伝子検出操作に含まれる、複数の工程において、前記基板と、該基板表面と接する検体の温度制御がなされ、
前記加熱手段を利用する温度制御手段によって、該複数の温度制御を要する工程の温度を順次制御することを特徴する請求項８に記載の方法。
【請求項１０】
遺伝子検出操作に含まれる、複数の工程において、前記基板と、該基板表面と接する検体の温度制御がなされ、
前記冷却手段を利用する温度制御手段によって、該複数の温度制御を要する工程の温度を順次制御することを特徴する請求項８に記載の方法。
【請求項１１】
基板と、該基板表面と接する検体の温度制御に利用する、前記良熱伝導性材料として、金属、樹脂のいずれか、または、これらの二種以上を複合することによって形成される前記良熱伝導性材料を使用することを特徴とする請求項８に記載の方法。
【発明の詳細な説明】
【０００１】
【発明の属する技術分野】
本発明は、核酸プローブ基板を用いた遺伝子の検出、測定に利用される装置に関し、より具体的には、ハイブリダイゼーション法により遺伝子ＤＮＡの検出、測定を行う際、核酸プローブとして一本鎖核酸複数種をアレイ状に固定化した基板に対して、所望の温度条件において、検体試料と各核酸プローブとの接触を達成する機能を有する装置、ならびに該装置を利用して、遺伝子核酸の検出、測定を行う方法に関する。
【０００２】
【従来の技術】
ハイブリダイゼーション法に基づく、遺伝子ＤＮＡの検出、測定法の発展として、基板上に複数種の核酸プローブを固定し、検体試料中に含有される遺伝子ＤＮＡに対して、同時に複数の検出試験を行う用途を有する、遺伝子チップ（ＤＮＡチップ、マイクロアレイ）に関する研究が近年急速に進んでいる。かかる遺伝子チップ（ＤＮＡチップ、マイクロアレイ）を利用する検体試料中に含有される遺伝子ＤＮＡの検出、測定法は、分子生物学研究、遺伝子疾患、感染症診断など様々な分野での応用が期待されている。
【０００３】
遺伝子チップの基本形態は、ハイブリダイゼーション法に基づき、目的とする遺伝子ＤＮＡを検出するため、目的遺伝子の塩基配列に対して、相補的な塩基配列を有する一本鎖核酸断片複数種を、ガラスなどの基板表面にアレイ状に固定化したものである。目的遺伝子に対して、ハイブリダイゼーション・プローブとして利用される、相補的な塩基配列を持つ一本鎖核酸断片は、オリゴＤＮＡと呼ばれる、化学合成されたＤＮＡオリゴマーや、ｃＤＮＡと呼ばれる、生物組織由来の遺伝子を鋳型として、酵素的に生合成された相補鎖ＤＮＡ断片などが、一般的に利用される。一本鎖核酸断片の基板表面への固定化に関しては、オリゴＤＮＡでは、例えば、ＵＳ　５，４７４，７９６（または、特表平９−５００５６８号公報、出願人：ＰｒｏｔｏＧｅｎｅ　Ｌａｂｏｒａｔｏｒｉｅｓ）に記載される方法のように、予め末端を固定した上で、ＤＮＡ分子自体を基板上で逐次合成し、固定化された核酸断片とする方法と、例えば、特開平１１−１８７９００号公報（出願人：キヤノン株式会社）に記載される方法のように、オリゴＤＮＡを別途合成した後、種々の結合手段を利用して、核酸断片を基板上に固定化する方法とに大別される。
【０００４】
別途調製した核酸断片を、基板上へ固定化する手段として、様々な方式、例えば、基板の持つ電荷と核酸断片の電荷を利用した吸着固定法、また、ポリ−Ｌ−リジン、アミノシランカップリング剤などを基板表面にコートし、このコート被膜を利用して固定効率の向上を図った固定法などが提案されている。
【０００５】
【発明が解決しようとする課題】
一方、基板上へに固定化されている核酸プローブに対する交雑反応（ハイブリダイゼーション反応）では、検体試料溶液中に含有される遺伝子ＤＮＡを一本鎖とした上で、核酸プローブの塩基配列と相補的な部分とを結合させ、二本鎖構造を形成させる。そのため、核酸プローブと検体試料溶液とを所定の温度に加熱する必要がなる。加えて、核酸プローブの塩基配列に対して相補的な塩基配列ではないものの、類似する塩基配列を有する遺伝子ＤＮＡも、場合によっては、擬似交雑反応（ミスマッチ・ハイブリダイゼーション反応）を起こし、核酸プローブと緩やかな結合を形成する。さらには、塩基配列に類似性が無く、未反応の夾雑ＤＮＡも、物理的な吸着等により基板表面に付着することもある。これら弱く結合している、不要なＤＮＡ分子を選択的に除去するため、目的とする交雑反応を達成している遺伝子ＤＮＡの再解離は生じないものの、弱く結合している不要なＤＮＡ分子の脱離が進行する温度に加熱して、洗浄除去工程が行われる。
【０００６】
遺伝子チップを用いた検出操作において、高い再現性で目的とする遺伝子ＤＮＡのみを検出する上では、特に、検体中の目的遺伝子と遺伝子チップ上に固定化された核酸（プローブ）の交雑反応工程における加熱温度、ならびに、擬似交雑反応を起こした類似遺伝子や未反応の夾雑物を選択的に除去する洗浄工程における加熱温度を、高い精度で制御することが必要である。また、一般に、各工程間での温度変動は、検出結果の再現性に大きな影響を及ぼす。
【０００７】
この各工程間での温度変動に起因する、検出精度、再現性の低下を抑制する手段が、幾つか提案されている。例えば、特開２０００−３４２２６４号公報に記載されているポリヌクレオチド検出チップ及びポリヌクレオチド検出装置は、検体中に含まれる目標とする遺伝子と相補的な配列を持つ核酸断片（プローブ）の種類毎に区画を設定し、検出チップの区画毎に微小ヒーターを設けることで、適正な温度制御を行う方式を採用している。この方式では、装置構成が非常に複雑となり、専用の検出用チップ、また検出装置全体も高価なものとならざるを得ない。加えて、区画毎に微小ヒーターを設けることに伴い、全体装置の小型化も困難である。
【０００８】
また、特開２００１−２５５３２８号公報に記載されているハイブリダイゼーション反応検出方法及び検出装置では、反応中の経時変化を追跡することで、ガラス基板上に形成されたアレイの温度変化の影響を排除して、高い精度の検出を目指してしている。しかしながら、この手法では、反応を行っている間、顕微鏡等の装置を用いて１枚のアレイを継続的に追跡検査する必要があり、多数のアレイ基板を検査するのは困難である。
【０００９】
また、ＧｅｎｅＣｈｉｐ（Ａｆｆｙｍｅｔｒｉｘ社製）に代表される独自の形状にパッケージングされた遺伝子チップも市販されている。これら市販の遺伝子チップは、対応する専用装置を利用した検出操作を前提とした遺伝子チップであり、従って、汎用性に乏しいものである。また、専用装置のみならず、遺伝子チップ自体も非常に高価である。
【００１０】
一方、大学等の研究用途では、個々の用途に適合させて、独自で多様な検出用核酸断片を固定化したチップの作製が必要となる。そのため、ピン・スポッターと呼ばれるアレイ作製装置を用いて、ポリ−Ｌ−リジン等の表面処理したスライドガラス基板上に、核酸断片を固定する方法が一般的に利用されている。この方法で作製される、汎用のスライドグラス基板上に作製された遺伝子チップは、外見上は単純なガラス板であり、勿論、温度制御のための工夫は何ら施されていない。
【００１１】
例えば、前記研究用途で利用される、汎用のスライドグラス基板上に作製された遺伝子チップを用いる際にも適用でき、遺伝子チップ全体の温度を高い再現性・均一性で制御することが可能な温度制御手段を具え、また、全体として、低コストで高い汎用性を持つ検出装置の開発が望まれている。
【００１２】
本発明は前記の課題を解決するもので、本発明の目的は、多様な用途に使用される汎用性の高い遺伝子チップに適用可能であり、加えて、遺伝子チップ全体の温度を高い再現性・均一性で制御することが可能な温度制御手段を具え、さらには、低コスト性をも満足する、核酸プローブ基板を用いた遺伝子の検出、測定に利用される装置、ならびに、該装置を利用して、遺伝子核酸の検出、測定を行う方法を提供することにある。
【００１３】
【課題を解決するための手段】
本発明者は、前記の課題を解決すべく鋭意研究を進めたところ、遺伝子チップ全体の温度を高い再現性・均一性で制御する上で、この遺伝子チップの作製に利用されるスライドグラス基板自体は、熱伝導性が必ずしも高くなく、そのため、局所的な温度分布の不均一さを引き起こす要因ともなっていることを見出した。この知見に基づき、更なる検討を行った結果、良熱伝導性材料をスライドグラス基板の背面に狭着して、かかる良熱伝導性材料を介して、面内方向の熱拡散を効果的に行うとともに、この良熱伝導性材料を加熱手段もしくは冷却手段と直接接触させ、良熱伝導性材料自体の温度を制御すると、狭着されているスライドグラス基板の全体も、温度不均一さが無く、且つ高い精度で所望の温度に保持できることを見出し、本発明者は、本発明を完成するに至った。
【００１４】
すなわち、本発明のかかる核酸プローブ・アレイ基板の温度制御装置の第一の形態は、ハイブリダイゼーション法に基づき、検体中に含有される目的とする遺伝子ＤＮＡを検出するため、該目的遺伝子ＤＮＡの塩基配列に対して、相補的な塩基配列を有する一本鎖核酸断片を含む核酸プローブ複数種を基板表面にアレイ状に固定化した基板に対して、遺伝子検出操作中、該検体及び該基板の温度制御を行う核酸プローブ・アレイ基板の温度制御装置であって、
前記一本鎖核酸断片複数種を基板表面にアレイ状に固定化した基板の背面に対して、基板背面と狭着される良熱伝導性材料と、
前記良熱伝導性材料と接触する加熱手段もしくは冷却手段と、
前記加熱手段もしくは冷却手段と良熱伝導性材料との間を移動する熱量を制御し、良熱伝導性材料の温度を制御する手段とを具え、
前記良熱伝導性材料の温度制御を介して、狭着される前記基板の温度制御を行う機能を有することを特徴とする核酸プローブ・アレイ基板の温度制御装置である。また、本発明のかかる核酸プローブ・アレイ基板の温度制御装置の第二の形態は、ハイブリダイゼーション法に基づき、検体中に含有される目的とする遺伝子ＤＮＡを検出するため、該目的遺伝子ＤＮＡの塩基配列に対して、相補的な塩基配列を有する一本鎖核酸断片を含む核酸プローブ複数種を基板表面にアレイ状に固定化した基板に対して、遺伝子検出操作中、該検体及び該基板の温度制御を行う核酸プローブ・アレイ基板の温度制御装置であって、
前記一本鎖核酸断片複数種を基板表面にアレイ状に固定化した基板の表面に対して、前記検体供給用の間隙を空けて、該基板表面と対面させて接触、設置される良熱伝導性材料と、
前記良熱伝導性材料と接触する加熱手段もしくは冷却手段と、
前記加熱手段もしくは冷却手段と良熱伝導性材料との間を移動する熱量を制御し、良熱伝導性材料の温度を制御する手段とを具え、
前記良熱伝導性材料の温度制御を介して、該良熱伝導性材料と接触を有する、前記間隙に供給される検体ならびに前記基板表面の温度制御を行う機能を有することを特徴とする核酸プローブ・アレイ基板の温度制御装置である。その際、該良熱伝導性材料は、金属、樹脂のいずれか、または、これら二種以上を複合することによって形成されていることが好ましい。
【００１５】
さらに、本発明は、かかる核酸プローブ・アレイ基板の温度制御手段を利用して、遺伝子を検出する方法をも提供し、すなわち、本発明にかかる遺伝子検出方法の第一の形態は、
ハイブリダイゼーション法に基づき、検体中に含有される目的とする遺伝子ＤＮＡを検出するため、該目的遺伝子ＤＮＡの塩基配列に対して、相補的な塩基配列を有する一本鎖核酸断片を含む核酸プローブ複数種を基板表面にアレイ状に固定化した基板を検出手段として利用して、遺伝子を検出する方法であって、
前記一本鎖核酸断片複数種を基板表面にアレイ状に固定化した基板の背面に対して、基板背面と狭着される良熱伝導性材料を配置し、
前記良熱伝導性材料と接触する加熱手段もしくは冷却手段を配置し、
前記加熱手段もしくは冷却手段と良熱伝導性材料との間を移動する熱量を制御し、良熱伝導性材料の温度を制御する手段を設け、
遺伝子検出操作中、前記手段に基づく良熱伝導性材料の温度制御を介して、狭着される前記基板と、該基板表面と接する検体の温度制御を行いつつ、検出操作を行うことを特徴とする遺伝子検出方法である。その際、遺伝子検出操作に含まれる、複数の工程において、前記基板と、該基板表面と接する検体の温度制御がなされ、
前記加熱手段を利用する温度制御手段によって、該複数の温度制御を要する工程の温度を順次制御することを特徴する方法とすることができる。あるいは、遺伝子検出操作に含まれる、複数の工程において、前記基板と、該基板表面と接する検体の温度制御がなされ、
前記冷却手段を利用する温度制御手段によって、該複数の温度制御を要する工程の温度を順次制御することを特徴する方法とすることもできる。なお、基板と、該基板表面と接する検体の温度制御に利用する、前記良熱伝導性材料として、金属、樹脂のいずれか、または、これらの二種以上を複合することによって形成される前記良熱伝導性材料を使用することが好ましい。
【００１６】
加えて、本発明にかかる遺伝子検出方法の第二の形態は、
ハイブリダイゼーション法に基づき、検体中に含有される目的とする遺伝子ＤＮＡを検出するため、該目的遺伝子ＤＮＡの塩基配列に対して、相補的な塩基配列を有する一本鎖核酸断片を含む核酸プローブ複数種を基板表面にアレイ状に固定化した基板を検出手段として利用して、遺伝子を検出する方法であって、
前記一本鎖核酸断片複数種を基板表面にアレイ状に固定化した基板の表面に対して、前記検体供給用の間隙を空けて、該基板表面と対面させて接触、設置される良熱伝導性材料を配置し、
前記良熱伝導性材料と接触する加熱手段もしくは冷却手段を配置し、
前記加熱手段もしくは冷却手段と良熱伝導性材料との間を移動する熱量を制御し、良熱伝導性材料の温度を制御する手段を設け、
遺伝子検出操作中、前記手段に基づく良熱伝導性材料の温度制御を介して、該良熱伝導性材料と接触を有する、前記間隙に供給される検体ならびに前記基板表面の温度制御を行いつつ、検出操作を行うことを特徴とする遺伝子検出方法である。その際、遺伝子検出操作に含まれる、複数の工程において、前記基板と、該基板表面と接する検体の温度制御がなされ、
前記加熱手段を利用する温度制御手段によって、該複数の温度制御を要する工程の温度を順次制御することを特徴する方法とすることができる。あるいは、遺伝子検出操作に含まれる、複数の工程において、前記基板と、該基板表面と接する検体の温度制御がなされ、
前記冷却手段を利用する温度制御手段によって、該複数の温度制御を要する工程の温度を順次制御することを特徴する方法とすることもできる。なお、基板と、該基板表面と接する検体の温度制御に利用する、前記良熱伝導性材料として、金属、樹脂のいずれか、または、これらの二種以上を複合することによって形成される前記良熱伝導性材料を使用することが好ましい。
【００１７】
【発明の実施の形態】
以下に、本発明を、より詳細に説明する。
【００１８】
具体的に本発明の特徴点を挙げると、検体中に含まれる目的遺伝子を検出するために目的遺伝子と相補的な塩基配列を有する一本鎖核酸断片を固定した基板全体を、所望の温度に制御する際、基板の背面、もしくは、検出用一本鎖核酸断片を固定化した面の対面に、熱伝導性に優れた材質を用いた構成される良熱伝導性材料を、実質的に基板面全体を覆う、あるいは、狭着される形態で配置することで、基板面全体の面内方向の熱拡散を向上させ、加えて、かかる良熱伝導性材料を介して、熱の授受を行う温度制御手段とすることにある。
【００１９】
この熱伝導手段に利用される良熱伝導性材料は、核酸プローブ・アレイ基板を作製する工程、特に、基板表面に検出用一本鎖核酸断片の固定化を行う工程の妨げにならなければ、検出用一本鎖核酸断片を固定化する工程に先立ち、基板の背面等と狭着されてもかまわない。また、良熱伝導性材料の狭着には、恒久的な接着等の手段を用いても、取り外しできるような構成をとっても問題ではない。但し、核酸プローブ・アレイ基板に利用されるスライドグラス基板と、基板面全面にわたり、緻密な熱的な接触、密着性は十分に達成できる形態とされなければならない。狭着方法の一例を示すと、例えば、検出用一本鎖核酸断片（以下プローブ）を固定化した基板（以下チップ）と良熱伝導性材料の間隙に、少量の粘着性ペーストを塗布して、このペースト薄膜層の粘着性を利用して、緻密に狭着させる方法がある。
【００２０】
その際、この粘着性ペーストには、検出操作中の加熱・冷却（温度制御）に伴い、硬化、乾燥などを起こさない材質のものを選択する。また、ペースト薄膜層の層厚は、粘着性を発揮できる範囲内で極力薄く選択することが好ましい。すなわち、ペーストの量は極力少量とし、良熱伝導性材料と基板の背面等との間での熱伝導の妨げとならないように注意すべきである。仮に、利用するペースト自体に、良熱伝導性材料と遜色無い程度の、十分な熱伝導性が付与されている場合には、ペースト薄膜層の層厚は、極力薄くすることは好ましいものの、より厚い範囲に設定するともできる。
【００２１】
上記の良熱伝導性材料とする、熱伝導手段の材質として、金属、樹脂などが挙げられる。より具体的には、利用可能な金属として、鉄、アルミニウム、銅、真鍮、ステンレスなどが挙げられる。これらの金属を利用する良熱伝導性材料は、ブロック状または板状の塊を用いることができる。さらには、フレーク状などの細分材料を焼結させるなどして、均質な熱伝導性を示すものに形成したものを利用することもできる。また、熱伝導手段として利用される樹脂材料には、特に指定はないが、より高い熱伝導特性を示すものがより好ましく、例えば、粉末状の金属などを混入して熱伝導性能を補強することが望ましい。
【００２２】
良熱伝導性材料とする、熱伝導手段の形状は、固形状の場合、基板の背面等と狭着される平坦面部は勿論であるが、この熱伝導手段と接触させる、加熱手段、または、冷却手段の形状に合わせて、良好な接触を可能とするように整形することが望ましい。すなわち、この熱伝導手段を介して、基板へと伝達される熱量は、基板表面に配置される、核酸プローブが固定されているチップのプローブ固定領域にムラなく熱伝導される形状とすることが望ましい。また、熱伝導手段は、必ずしも固形状態で使用する必要はなく、例えば、ペースト状、または、ガム状の流動性を持った状態での使用も可能である。
【００２３】
以下、図を参照しつつ、本発明の代表的な実施形態を詳細に説明する。
【００２４】
図１に、本発明に利用される、金属製の熱伝導ユニットの一例を示す。また、図２に、別の一例を示す。図１及び図２に示す熱伝導手段では、平坦な面を有する遺伝子チップ狭着面１に、遺伝子チップの基板背面を狭着する。一方、狭着面１の裏面側に設ける、脚部２は、加熱手段、または、冷却手段の形状に合わせて整形されている。かかる脚部２を利用して、温度制御手段（不図示）にセットする。本例では、市販されているヒートブロック装置やＰＣＲ（Ｐｏｌｙｍｅｒａｓｅ　Ｃｈａｉｎ　Ｒｅａｃｔｉｏｎ）用プログラマブルヒートブロック装置などを温度制御手段として利用する際、それらのヒートブロックにセットすることを想定した熱伝導ユニット形状を模式的に示した。すなわち、図１及び図２の脚部２は、ヒートブロックのマイクロチューブ挿入用の穴に挿入可能なように配置、形成されている。
【００２５】
加熱手段、または、冷却手段との間での熱伝導性を高めるためには、脚部２の大きさは、ヒートブロックの挿入穴に密着できるものが望ましい。なお、ヒートブロックの熱膨張率、ならびに、例示される熱伝導ユニットを構成する金属材料が示す熱膨張率なども考慮して、その形状を設計しなければならない。その点を考慮に入れ、脚部２とヒートブロックの挿入穴との隙間を充填し、熱伝導性を補完するために、オイル等を使用することもできる。熱伝導ユニットの材質は、アルミニウムなどが比較的軽量で工作性にも優れるため好適に用いられる。図１及び図２に示す形状の熱伝導ユニットを樹脂で作製することも可能である。しかしながら、一般的に、金属材料と比較すると、樹脂は熱伝導性が劣り、その結果、チップの温度応答性は金属材料を用いた際より遅くなる不利がある。比較的密度の高いＡＢＳ樹脂等は、テフロン樹脂等との比較では良好な特性を示すが、アルミニウムなどの金属との比較では、有意に熱伝導性は劣る。また、樹脂を熱伝導ユニットとして用いる際には、検出操作の際に要求される加熱温度を考慮し、繰り返し使用する場合においても、その加熱温度における十分な熱的耐性を示すものを利用することが望ましい。
【００２６】
図３に示す更なる一例は、良熱伝導性材料として、ガム状熱伝導手段を用いた例である。本例で示すガム状の熱伝導手段は、チップの基板面と加熱手段、または、冷却手段の間に圧着することにより密着し、効率よく熱伝導を行う。図３に示す加熱手段、または、冷却手段は、マイクロチューブ等を対象としたヒートブロックタイプのものを例示した。この例では、マイクロチューブ等を穴に差し込んで壁面を通じて熱伝導を行う形態の加熱手段、または、冷却手段を利用する際、ガム状の熱伝導手段を穴内部にまで充填することで、熱伝達効率が向上する。
【００２７】
利用するガム状の熱伝導手段は、適度な流動性を有していることが望ましい。但し、加熱、または、冷却に伴い、その流動性に著しい変化が現れるものは、熱伝達効率も変化する可能性が高く、多くの場合望ましくない。一般に、遺伝子検出操作において、遺伝子チップの温度は、数℃〜９５℃程度の範囲に設定されるため、この温度範囲で、流動性、可塑性を維持するものを選択することが好ましい。ガム状の熱伝導手段の材質は、上記の流動性要件を満たすとともに、極力、熱伝導効率の高いものを選択することが望ましい。
【００２８】
図１から図３には、遺伝子チップのスライドグラス状基板の背面全体に、良熱伝導性材料として、熱伝導ユニット等を狭着する形態を例示したが、プローブを固定化したアレイの形状に応じて、利用する良熱伝導性材料（熱伝導手段）の形状、位置を調整することも可能である。
【００２９】
【実施例】
以下に実施例を挙げて、本発明をより具体的に説明する。なお、これら実施例は、本発明にかかる最良の実施形態の一例ではあるものの、本発明は、これら実施例の形態に限定されない。
【００３０】
（実施例１）
ＤＮＡプローブ・アレイの作製
［１］ガラス基板の洗浄
合成石英のガラス基板（サイズ：２５ｍｍ×７５ｍｍ×１ｍｍ、飯山特殊ガラス社製）を耐熱、耐アルカリ性のラックに入れ、所定の濃度に調製した超音波洗浄用の洗浄液に浸した。一晩、洗浄液中に浸した後、２０分間超音波洗浄を行った。続いて、基板を取り出し、軽く純水で漱いだ後、超純水中で２０分超音波洗浄をおこなった。次に、８０℃に加熱した１Ｎ水酸化ナトリウム水溶液中に１０分間基板を浸した。再び純水洗浄と超純水洗浄を行い、ＤＮＡチップ用の洗浄済石英ガラス基板を用意した。
【００３１】
［２］表面処理
シランカップリング剤；ＫＢＭ−６０３（信越シリコーン社製）を、濃度１ｗｔ％となるように、純水中に溶解させ、２時間室温で攪拌した。続いて、洗浄済ガラス基板をシランカップリング剤水溶液に浸し、２０分間室温で放置した。ガラス基板を引き上げ、軽く純水で基板表面を洗浄した後、基板の両面に窒素ガスを吹き付けて乾燥させた。次に、乾燥した基板を１２０℃に加熱したオーブン中で１時間ベークし、表面のカップリング剤処理を完結させた。このアミノシランカップリング剤処理に伴い、基板表面にアミノ基が導入される。
【００３２】
一方、同仁化学研究所社製のＮ−マレイミドカプロイロキシスクシイミド（Ｎ−（６−Ｍａｌｅｉｍｉｄｏｃａｐｒｏｙｌｏｘｙ）ｓｕｃｃｉｎｉｍｉｄｏ、以下、ＥＭＣＳと略す）を、ジメチルスルホキシドとエタノールの１：１（体積比）混合溶媒中に最終濃度が０．３ｍｇ／ｍｌとなるように溶解したＥＭＣＳ溶液を用意した。ベークの終了後、ガラス基板を放冷し、次いで、調製したＥＭＣＳ溶液中に室温で２時間浸した。この処理により、シランカップリング剤処理によって表面に導入されたアミノ基と、ＥＭＣＳのスクシイミド基とが反応し、基板表面にＥＭＣＳに由来するマレイミド基が導入される。ＥＭＣＳ溶液から引き上げたガラス基板を、先述のジメチルスルホキシドとエタノールの混合溶媒を用いて洗浄する。さらに、エタノールにより洗浄した後、表面処理を施したガラス基板を窒素ガス雰囲気下で乾燥させた。
【００３３】
［３］プローブＤＮＡの合成
定法に従って、５’末端にスルファニル基による修飾を施した、下記塩基配列を有する１８ｍｅｒのプローブＤＮＡオリゴマー３種を合成した。
【００３４】
2004028694.tif 000003
【００３５】
合成後、ＤＮＡオリゴマーを高速液体クロマトグラフィーにより精製し、その後、脱塩、乾燥して、以下の実験に用いた。
【００３６】
［４］ＢＪプリンターによるＤＮＡプローブ吐出、および基板への結合
予め、グリセリン７．５ｗｔ％、チオジグリコール７．５ｗｔ％、尿素７．５ｗｔ％、アセチレノールＥＨ（川研ファインケミカル社製）１．０ｗｔ％を含む水溶液を用意した。続いて、合成した配列番号１の一本鎖ＤＮＡを、最終濃度が５０マイクログラム／ｍｌとなるように、上記の水溶液に溶解した。得られたＤＮＡ溶液を、バブルジェット・プリンター（商品名：ＢＪＦ−８５０　キヤノン社製）用インクタンクに充填し、印字ヘッドに装着した。
【００３７】
なお、ここで使用するバブルジェット・プリンターは、平板への印刷が可能なように改造を施したものである。また、このバブルジェット・プリンターは、所定のファイル作成方法に従って印字パターンを入力することにより、対応するパターンにインクドットの吐出を行い、約５ピコリットルのＤＮＡ溶液を約１２０マイクロメートルピッチでスポッティングすることが可能となっている。
【００３８】
続いて、この改造バブルジェット・プリンターを用いて、１枚の表面処理済ガラス基板に対して、配列番号１〜３の各プローブをそれぞれ縦１２個、横４個のマトリックス状に合計１４４個のスポットをスポッティングした。目的とするスポット印字が行われていることを確認した後、３０分間加湿チャンバー内に静置して、ガラス基板表面のマレイミド基とＤＮＡプローブ５’末端のスルファニル基とを反応させた。
【００３９】
［５］洗浄
３０分間の反応後、１００ｍＭのＮａＣｌを含む１０ｍＭのリン酸緩衝液（ｐＨ７．０）により表面に残ったＤＮＡ溶液を洗い流し、ガラス基板表面にマトリックス状にスポットされた一本鎖ＤＮＡが固定した遺伝子チップ（ＤＮＡプローブ・アレイ基板）を得た。
【００４０】
アルミニウム製熱伝導ユニットの作製
図１に示す形状の熱伝導ユニットを、アルミニウムブロックから切削加工で作製した。作製した熱伝導ユニットのサイズは、遺伝子チップとの狭着面は、２７ｍｍ×８５ｍｍ×１．５ｍｍ、脚部は、φ１０ｍｍ　×　２５ｍｍの円筒形とした。脚部の取り付けピッチは、１６ｍｍとして、狭着面の裏面側に計４本をセットした。狭着面の四隅には、後述する送液用カバーを固定するため、ボルト受穴を設けた。
【００４１】
送液用カバーの作製
遺伝子チップ表面のプローブ固定面に検体溶液、洗浄液を送液するために使用する送液用カバーを、アクリル樹脂を用いて作製した。プローブ固定面と送液用カバーの内面との間に所定の間隙を維持するため、０．５ｍｍ厚のスペーサーを設け、この間隙部を液室とした。送液用カバーと遺伝子チップのプローブ固定面の接点は、シリコンゴムのパッキンを用いて密閉する。送液用カバーの外面側に、内径１ｍｍの液導入口、排出口をそれぞれ設けた。送液用カバーの固定は、送液用カバーの四隅に固定用ボルトを通すの穴を設け、上記の熱伝導ユニットの狭着面四隅に設けてあるねじ穴と対応させ、固定用ボルトによるボルト留めとする。
【００４２】
また、外面側の液導入口には、シリコンゴムチューブを接続し、これをチューブポンプにセットした。排出口にも、シリコンゴムチューブを接続し、廃液ボトルへと接続した。
【００４３】
遺伝子チップの装着
遺伝子チップと、熱伝導ユニット、送液用カバーを、下記する手順でセットアップした。
【００４４】
まず、熱伝導ユニットの遺伝子チップとの狭着面に、耐熱性シリコングリスを薄く塗布した後、遺伝子チップの背面を圧着した。圧着の際、グリスと遺伝子チップ背面との密着性を高めるため、気泡の侵入を生じないように注意した。続いて、送液用カバーを遺伝子チップ表面側、プローブ固定面を覆うように被せ、４本の固定用ボルトによる付加荷重が均一となるように留意しながら締め込み、送液用カバーを固定した。
【００４５】
遺伝子チップ、熱伝導ユニット、送液用カバーを組み立てたものを、ヒートブロック装置（岩城硝子社製、ＣＨＴ−１００）上にセットした。用いた該装置のヒートブロックは、１．５〜２．０ｍｌマイクロチューブ用アルミブロックである。
【００４６】
検証用モデル検体の準備
上記の温度制御機構の機能検証に利用するモデル検体を、下記するように調製した。モデル標的核酸（遺伝子）として、配列番号１の一本鎖核酸断片と相補的な塩基配列を有する一本鎖核酸断片を合成し、定法に従って５’末端に蛍光色素（ローダミン）を標識した。合成したモデル標的核酸を用いて、以下に示す組成物（モデル検体）を調製した。
【００４７】
［モデル検体組成］
【００４８】
【表１】
2004028694.tif 000004
【００４９】
ブロッキング／ハイブリダイゼーション
組み立て後、ヒートブロック装置にセットされた遺伝子チップに対して、チューブポンプを用いて、まず、ブロッキング溶液を液室に充填した。ブロッキング液は、生理食塩水（ＰＢＳ）に２％（ｗ／ｗ）になるように牛血清アルブミン（ＢＳＡ）を溶解したものを用いた。遺伝子チップのプローブ固定面と送液用カバーの隙間（液室）にブロッキング液を充填した後、チューブポンプを停止し、排出口側もピンチコックで密閉した。密閉状態とした後、室温で２時間静置した。
【００５０】
２時間静置後、ヒートブロックを５５℃に予熱した後、排出口のピンチコックを外し、チューブポンプを用いて液導入口から上記モデル検体を送液し、液室内をモデル検体で置換し、充填した。なお、モデル検体液には、遺伝子チップへの充填直前に、９５℃、３分の熱変性処理と急冷処理を施してある。遺伝子チップのプローブ固定面と送液用カバーの隙間（液室）内にモデル検体液が充填された後、チューブポンプを停止し、排出口側もピンチコックで密閉した。
この密閉状態を保ったまま、ヒートブロックを５５℃に温度調節しつつ、１６時間静置した。
【００５１】
洗浄
１６時間の保温静置後、排出口のピンチコックを外し、以下に示す洗浄液１を液導入口からチューブポンプを用いて送液し、遺伝子チップを洗浄した。洗浄液１の送液量は、１ｍｌ／分とし、その間、ヒートブロックの温度は５５℃に保持したまま、１０分間洗浄を行った。
【００５２】
［洗浄液１の組成］
【００５３】
【表２】
2004028694.tif 000005
【００５４】
次に、洗浄液１の送液を停止し、ヒートブロックの温度を２５℃に変更した。洗浄液１を以下に示す洗浄液２に付け替え、ヒートブロックの温度が２５℃で安定したのを確認した後、１ｍｌ／分の送液量で洗浄液２を送液し、洗浄を再開し、３分間洗浄を行った。
【００５５】
［洗浄液２の組成］
【００５６】
【表３】
2004028694.tif 000006
【００５７】
乾燥
洗浄操作の終了後、セットアップ済みの遺伝子チップをヒートブロック装置から取り外す。さらに、熱伝導ユニット、送液用カバーを外して、スライド・ガラス状態の遺伝子チップを取り出した。取り出した遺伝子チップは、窒素ガスでブローして乾燥させた。
【００５８】
蛍光測定
乾燥した遺伝子チップを、アレイスキャナーＧｅｎｅＰｉｘ　４００Ｂ（Ａｘｏｎ社製）にセットし、定法に従って、マトリックス状ＤＮＡアレイ中の各スポット毎に蛍光測定を行った。具体的には、波長５３２ｎｍのレーザーを用いて、遺伝子チップのプローブ固定面をスキャンして、モデル標的核酸を標識するローダミンの蛍光を測定した。
【００５９】
測定の結果
蛍光測定は、アレイスキャナー付属の解析ソフトウェア（ＧｅｎｅＰｉｘ　Ｐｒｏ　３．０）を用いて行った。蛍光量測定は、スキャン解像度５ミクロン、スポットの検出はオートアライメントで行い、検出されたスポットの中心部３２ピクセルの輝度（蛍光強度）の総和で比較した。
【００６０】
配列番号１のＤＮＡプローブ・スポットの平均蛍光輝度を１００とした場合、配列番号２のＤＮＡプローブ・スポットでは、４０、配列番号３のＤＮＡプローブ・スポットでは、８の蛍光輝度を示した。また、配列番号１のＤＮＡプローブ・スポット、計４８個内でのバラツキは、最大値は、平均値の１０９％、最小値は、平均値の９３％であった。配列番号２のＤＮＡプローブ・スポット、計４８個内でのバラツキは、最大値は、平均値の１１１％、最小値は、平均値の９０％であった。配列番号３のＤＮＡプローブ・スポット、計４８個内でのバラツキは、最大値は、平均値の１０８％、最小値は、平均値の８９％であった。
【００６１】
（比較例１）
実施例１と同様に、石英ガラス基板を用いた遺伝子チップを作製した。この遺伝子チップを使用して、市販のハイブリ・カセットとオーブンを用いて検出操作を行った。実施例１との相違点は、以下の通り。
【００６２】
熱伝導ユニット、送液用カバーを用いず、定法に従って、プローブ固定面を市販のカバーグラスで被覆し、ハイブリ・カセットを用いるハイブリダイゼーションを行った。ハイブリダイゼーション反応中の温度制御は、オーブンで行った。その後の洗浄では、ウォーターバスを用いて洗浄液の温度制御を行った。
【００６３】
測定の結果
標識による蛍光の測定方法・手順は、実施例１と同様である。
【００６４】
配列番号１のＤＮＡプローブ・スポットの平均蛍光輝度を１００とした場合、配列番号２のＤＮＡプローブ・スポットでは、６５、配列番号３のＤＮＡプローブ・スポットでは、３４の蛍光輝度を示した。また、配列番号１のＤＮＡプローブ・スポット、計４８個内でのバラツキは、最大値は、平均値の１２１％、最小値は、平均値の８２％であった。配列番号２のＤＮＡプローブ・スポット、計４８個内でのバラツキは、最大値は、平均値の１４４％、最小値は、平均値の５６％であった。配列番号３のＤＮＡプローブ・スポット、計４８個内でのバラツキは、最大値は、平均値の１３７％、最小値は、平均値の５２％であった。
【００６５】
（実施例２）
遺伝子チップの作製
実施例１と同様に作製した。
【００６６】
アルミニウム製熱伝導ユニットの作製
図２に示す形状の熱伝導ユニットを、アルミニウムブロックより切削で作製した。作製した熱伝導ユニットのサイズは、遺伝子チップとの狭着面は、２７ｍｍ×８５ｍｍ×１．５ｍｍ、脚部は、基部はφ６ｍｍ、末端部はφ３ｍｍ、総高さ１１ｍｍの円錐台形とした。脚部の取り付けピッチは、９ｍｍとして、狭着面の裏面側に３列８本で計２４本をセットした。狭着面の四隅には、後述する送液用カバーを固定するため、ボルト受穴を設けた。
【００６７】
送液用カバーの作製
実施例１と同様のものを作製し、用いた。
【００６８】
遺伝子チップの装着
遺伝子チップと、熱伝導ユニット、送液用カバーを、実施例１と同様の手順でセットアップした。
【００６９】
遺伝子チップ、熱伝導ユニット、送液用カバーを組み立てたものを、ＰＣＲ装置（ＭＪＲｅｓｅａｒｃｈ社製、ＰＣＴ−１００）の加熱ブロック上にセットした。
【００７０】
モデル検体の準備
実施例１と同様に、モデル検体の調製を行った。
【００７１】
ブロッキング／ハイブリダイゼーションと洗浄、乾燥
実施例１と同様の条件で行った。
【００７２】
蛍光測定、解析の結果
標識による蛍光の測定方法・手順は、実施例１と同様である。
【００７３】
配列番号１のＤＮＡプローブ・スポットの平均蛍光輝度を１００とした場合、配列番号２のＤＮＡプローブ・スポットでは、４２、配列番号３のＤＮＡプローブ・スポットでは、１１の蛍光輝度を示した。また、配列番号１のＤＮＡプローブ・スポット、計４８個内でのバラツキは、最大値は、平均値の１０７％、最小値は、平均値の９４％であった。配列番号２のＤＮＡプローブ・スポット、計４８個内でのバラツキは、最大値は、平均値の１１０％、最小値は、平均値の９３％であった。配列番号３のＤＮＡプローブ・スポット、計４８個内でのバラツキは、最大値は、平均値の１１２％、最小値は、平均値の９１％であった。
【００７４】
（実施例３）
遺伝子チップの作製
実施例１と同様に作製した。
【００７５】
送液用カバーの作製
実施例１と同様のものを作製し、用いた。
【００７６】
アルミニウム製受用ユニット板の作製と良熱伝導性材料の調製
アルミニウム製受用ユニット板として、厚さ１．５ｍｍのアルミニウム板を、幅２７ｍｍ長さ８５ｍｍのサイズに切り出し、実施例１で作製した送液用カバー固定用に四隅にボルトの受穴を設けた。別に、良熱伝導性材料用に、シリコン樹脂コーキング剤に粉末状の銅を８０％（ｗ／ｗ）になるように加え、均一になるようすばやく混練し、熱伝導性コーキング剤を調製した。
【００７７】
遺伝子チップの装着
遺伝子チップと、送液用カバー、送液用カバーの受用アルミ板を、下記する手順でセットアップした。
【００７８】
まず、受用アルミ板の上面に、耐熱性シリコングリスを薄く塗布した後、遺伝子チップの背面を圧着した。圧着の際、グリスと遺伝子チップ背面との密着性を高めるため、気泡の侵入を生じないように注意した。続いて、送液用カバーを遺伝子チップ表面側、プローブ固定面を覆うように被せ、４本の固定用ボルトによる付加荷重が均一となるように留意しながら締め込み、送液用カバーを固定した。
【００７９】
銅紛を混入したシリコン樹脂コーキング剤をＰＣＲ装置（ＭＪ　Ｒｅｓｅａｒｃｈ社製、ＰＣＴ−１００）のヒートブロック上に適量乗せ、ダミーの送液用カバーの受用アルミ板を用いて必要な大きさに伸ばしてセットした。この伸張された銅紛入りコーキング剤の上に、受用アルミ板を前記コーキング剤と密着するように、遺伝子チップ、送液用カバー、受用アルミ板を組み立てたものを圧着させ、装着を完了した。
【００８０】
モデル検体の準備
実施例１と同様に、モデル検体の調製を行った。
【００８１】
ブロッキング／ハイブリダイゼーションと洗浄、乾燥
実施例１と同様の条件で行った。
【００８２】
蛍光測定、解析の結果
標識による蛍光の測定方法・手順は、実施例１と同様である。
【００８３】
配列番号１のＤＮＡプローブ・スポットの平均蛍光輝度を１００とした場合、配列番号２のＤＮＡプローブ・スポットでは、３９、配列番号３のＤＮＡプローブ・スポットでは、９の蛍光輝度を示した。また、配列番号１のＤＮＡプローブ・スポット、計４８個内でのバラツキは、最大値は、平均値の１０５％、最小値は、平均値の９１％であった。配列番号２のＤＮＡプローブ・スポット、計４８個内でのバラツキは、最大値は、平均値の１０９％、最小値は、平均値の９５％であった。配列番号３のＤＮＡプローブ・スポット、計４８個内でのバラツキは、最大値は、平均値の１１１％、最小値は、平均値の９０％であった。
【００８４】
（実施例４）
遺伝子チップの作製
実施例１と同様に作製した。
【００８５】
送液用カバーの作製
基本的に実施例１と同様のものを作製したが、液導入口と排出口には、フレキシブルチューブ（シリコンチューブ、内径１ｍｍ）を接続し用いた。
【００８６】
アルミニウム製受用ユニット板の作製と良熱伝導性材料の調製
アルミニウム製受用ユニット板として、厚さ１．５ｍｍのアルミニウム板を、幅２７ｍｍ長さ８５ｍｍのサイズに切り出し、実施例１で作製した送液用カバー固定用に四隅にボルトの受穴を設けた。別に、良熱伝導性材料用に、シリコン樹脂コーキング剤に粉末状の銅を８０％（ｗ／ｗ）になるように加え、均一になるようすばやく混練し、熱伝導性コーキング剤を調製した。
【００８７】
遺伝子チップの装着
実施例３と同様に遺伝子チップ、送液カバー受用ユニットをセットした。
【００８８】
銅紛を混入したシリコン樹脂コーキング剤をＰＣＲ装置（ＭＪ　Ｒｅｓｅａｒｃｈ社製、ＰＣＴ−１００）のヒートブロック上に適量乗せ、ダミーの送液用カバーの受用アルミ板を用いて必要な大きさに伸ばしてセットした。この伸張された銅紛入りコーキング剤の上に、送液カバーの上面がコーキング剤と密着するように、遺伝子チップ、送液用カバー、受用アルミ板を組み立てたものを厚着し、装着を完了した。この際、液導入口と排出口に接続されたフレキシブルチューブがコーキング剤と送液カバーの密着を妨げないよう、また、折れ曲がり等によって送液が妨げられないように注意した。
【００８９】
モデル検体の準備
実施例１と同様に、モデル検体の調製を行った。
【００９０】
ブロッキング／ハイブリダイゼーションと洗浄、乾燥
実施例１と同様の条件で行った。
【００９１】
蛍光測定、解析の結果
標識による蛍光の測定方法・手順は、実施例１と同様である。
【００９２】
配列番号１のＤＮＡプローブ・スポットの平均蛍光輝度を１００とした場合、配列番号２のＤＮＡプローブ・スポットでは、３７、配列番号３のＤＮＡプローブ・スポットでは、１０の蛍光輝度を示した。また、配列番号１のＤＮＡプローブ・スポット、計４８個内でのバラツキは、最大値は、平均値の１０８％、最小値は、平均値の９２％であった。配列番号２のＤＮＡプローブ・スポット、計４８個内でのバラツキは、最大値は、平均値の１１１％、最小値は、平均値の９４％であった。配列番号３のＤＮＡプローブ・スポット、計４８個内でのバラツキは、最大値は、平均値の１１０％、最小値は、平均値の９２％であった。
【００９３】
【発明の効果】
本発明においては、遺伝子チップを用いた遺伝子検出操作の際、遺伝子チップの温度を制御する手段として、汎用性を有する形状の、熱伝導性に優れた材質を用いた構成される良熱伝導性材料を、基板の背面、もしくは、検出用一本鎖核酸断片を固定化した面の対面に、実質的に基板面全体を覆う、あるいは、狭着される形態で配置することで、基板面全体の面内方向の熱拡散を向上させ、加えて、かかる良熱伝導性材料を介して、熱の授受を行う温度制御手段を利用することで、遺伝子チップ全体を所望の温度に精度良く、再現性良く温度制御することを可能としている。また、かかる温度制御手段は、安価な部材、装置を用いることで構成でき、また、遺伝子チップに利用される基板形状に応じて、簡便に変更可能である。そのため、高い汎用性を有するとともに、この温度制御手段を利用することで、遺伝子検出操作における遺伝子チップ内の温度バラツキも抑制され、測定自体の精度、再現性の向上が図れる。
【図面の簡単な説明】
【図１】本発明にかかる温度制御装置に利用される、熱伝導ユニットの一実施態様を模式的に示す図である。
【図２】本発明にかかる温度制御装置に利用される、熱伝導ユニットの別の一実施態様を模式的に示す図である。
【図３】本発明にかかる温度制御装置に利用される、良熱伝導性材料の一実施態様を模式的に示す図である。
【図４】本発明にかかる温度制御装置における、遺伝子チップ装着部構成の一実施態様を模式的に示す図である。
【図５】本発明にかかる温度制御装置における、遺伝子チップの装着状態の一実施態様を模式的に示す図である。
【符号の説明】
１　遺伝子チップ狭着面
２　脚部
３　ヒートブロック
４　遺伝子チップ
５　熱伝導性部材（ガム状）
６　液導入口
７　排出口
８　送液用カバー
９　遺伝子チップ
１０　熱伝導性ユニット（板状）
【図１】
2004028694.tif 000007
【図２】
2004028694.tif 000008
【図３】
2004028694.tif 000009
【図４】
2004028694.tif 000010
【図５】
2004028694.tif 000011